(57)【要約】【課題】カシメ等を行うことなく簡単な施工により高い強度で仮吊紐の確実な抜け防止を図ることができる照明器具を提供する。【解決手段】照明器具１０は、仮吊紐１５を引っ掛けるための仮吊紐引掛部３８が、折曲板部３５の幅方向に対して傾斜して折曲板部３５の端部に向けて形成された第１スリット４７と、第１スリット４７に連接されて折曲板部３５の長さ方向に形成された第２スリット４８と、第２スリット４８に連接されて折曲板部３５の幅方向に形成された第３スリット４９と、第３スリット４９に連接されて折曲板部３５の長さ方向に形成された第４スリット５０と、第４スリット５０に連接されて折曲板部３５の幅方向に形成され折曲板部３５の端部で開放された第５スリット５１と、を有し、折曲板部３５の第１スリット４７の端部に対応した位置に窪み部４６を有する。【選択図】図４
2011108517.tif 000002
【特許請求の範囲】
【請求項１】
光源を保持した器具本体と、
前記器具本体に取り付けられる中反射板と、
前記中反射板に取り付けられるルーバと、
前記器具本体と前記中反射板とを連結する仮吊紐と、
を備えた照明器具であって、
前記中反射板は、端部から折曲成形された折曲板部に前記仮吊紐を引っ掛けるための仮吊紐引掛部を有し、
前記仮吊紐引掛部は、
前記折曲板部の幅方向に対して傾斜して前記折曲板部の前記端部に向けて形成された第１スリットと、
前記第１スリットに連接されて前記折曲板部の長さ方向に形成された第２スリットと、
前記第２スリットに連接されて前記折曲板部の幅方向に形成された第３スリットと、
前記第３スリットに連接されて前記折曲板部の長さ方向に形成された第４スリットと、
前記第４スリットに連接されて前記折曲板部の幅方向に形成され前記折曲板部の端部で開放された第５スリットと、
を有し、
前記折曲板部の前記第１スリットの端部に対応した位置に窪み部を有する照明器具。
【請求項２】
前記第１スリットの端部には、略円形状の保持孔が設けられており、各スリットは、前記仮吊紐に有する仮吊紐本体の直径よりも小さい請求項１に記載の照明器具。
【請求項３】
前記第３スリットが、前記第１スリットと同じ向きに傾斜している請求項１又は２に記載の照明器具。
【発明の詳細な説明】
【技術分野】
【０００１】
本発明は、例えば住宅や工場等の天井施工面に直接取り付けられる照明器具に関し、特にルーバを備えた照明器具に関する。
【背景技術】
【０００２】
従来の照明器具の一例として、器具本体に仮吊紐の一端を固定し、中反射板に仮吊紐の他端の取付金具を取り付けるようにしたものがある（例えば、特許文献１参照）。
【先行技術文献】
【特許文献】
【０００３】
【特許文献１】特開２００８−２１５３９号公報（図１、請求項１）
【発明の概要】
【発明が解決しようとする課題】
【０００４】
通常、ルーバと中反射板とを備えるルーバ付きの照明器具においては、蛍光ランプを交換する場合、メンテナンス性から中反射板を仮吊してから蛍光ランプが交換される。このような照明器具は、中反射板を仮吊するために、仮吊紐を器具本体と中反射板との間に結合しておくことにより仮吊機構が構成されているが、中反射板より仮吊紐が外れて抜けないようにするために、仮吊紐の結び目を保持する孔と、仮吊紐を挿通させるためのスリットとが設けられている。そして、スリットは、仮吊紐が挿通された後に、カシメが施され、これにより、仮吊紐の抜け防止が図られる。
【０００５】
しかし、このような照明器具では、カシメの精度によって、仮吊紐が抜けてしまう虞があり、またカシメを実施するための特別な工具や治具などを要して製造コストが高価なものになってしまう。
【０００６】
上記特許文献１に開示された従来の照明器具は、カシメを廃止して仮吊紐の抜け防止を図るようにしている。しかし、このような照明器具では、中反射板と取付金具とが別部品になっている。
従って、特許文献１の照明器具では、部品管理に多くの工数を必要とするばかりか、コスト面で不利になる虞がある。
【０００７】
本発明は、前述した課題を解決するためになされたものであり、その目的は、カシメ等を行うことなく簡単な施工により高い強度で仮吊紐の確実な抜け防止を図ることができる照明器具を提供することにある。
【課題を解決するための手段】
【０００８】
本発明に係る照明器具は、光源を保持した器具本体と、前記器具本体に取り付けられる中反射板と、前記中反射板に取り付けられるルーバと、前記器具本体と前記中反射板とを連結する仮吊紐と、を備えた照明器具であって、前記中反射板は、端部から折曲成形された折曲板部に前記仮吊紐を引っ掛けるための仮吊紐引掛部を有し、前記仮吊紐引掛部は、前記折曲板部の幅方向に対して傾斜して前記折曲板部の前記端部に向けて形成された第１スリットと、前記第１スリットに連接されて前記折曲板部の長さ方向に形成された第２スリットと、前記第２スリットに連接されて前記折曲板部の幅方向に形成された第３スリットと、前記第３スリットに連接されて前記折曲板部の長さ方向に形成された第４スリットと、前記第４スリットに連接されて前記折曲板部の幅方向に形成され前記折曲板部の端部で開放された第５スリットと、を有し、前記折曲板部の前記第１スリットの端部に対応した位置に窪み部を有する。
【０００９】
本発明において、仮吊紐引掛部は、第１スリット、第２スリット、第３スリット、第４スリット、第５スリットのそれぞれに囲まれた板状部が、第１スリットの端部と窪み部との間でのみ接続されている。紐状の仮吊紐本体の端部に仮吊紐本体よりも外径寸法が大きい結び目状の中反射板掛止部を有する仮吊紐は、仮吊紐本体が、開放側の第５スリット、第４スリット、第３スリット、第２スリット、第１スリットの順に挿通されていくことにより、第１スリットの端部の裏面に中反射板掛止部が配置される。そして、仮吊紐が中反射板から引っ張られることにより、第１スリットに、その裏面から上方に向けた応力がかかり、これに伴って生ずる分力により、第１スリットの端部と窪み部との間を介して第２スリットおよび第４スリットを閉塞する方向に板状部が傾動され、中反射板掛止部が仮吊紐引掛部に強固に抜け止められる。
従って、本発明においては、カシメ等を行うことなく簡単な施工により高い強度で仮吊紐の確実な抜け防止を図ることができる。
【００１０】
本発明に係る照明器具は、上記照明器具において、前記第１スリットの端部には、略円形状の保持孔が設けられており、各スリットは、前記仮吊紐に有する仮吊紐本体の直径よりも小さい。
【００１１】
本発明において、保持孔の裏面に中反射板掛止部が確実に係合されるために、仮吊紐を中反射板に安定的に保持することができる。そして、各スリットが仮吊紐本体の直径よりも小さいために、各スリットに一旦挿通された仮吊紐本体が容易に移動することがないので、位置ずれすることなく仮吊紐を中反射板に確実に保持することができる。
【００１２】
本発明に係る照明器具は、上記照明器具において、前記第３スリットが、前記第１スリットと同じ向きに傾斜している。
【００１３】
本発明において、折曲板部の幅方向に対して傾斜する第１スリットに第３スリットが平行に配置されることにより、板状部が平行四辺形に形成されるので、板状部が傾動される際に、板状部の鋭角部分で第２スリットおよび第４スリットを確実に閉塞することができる。
【発明の効果】
【００１４】
本発明の照明器具によれば、仮吊紐が中反射板から引っ張られることにより、第１スリットの端部と窪み部との間を介して第２スリットおよび第４スリットを閉塞する方向に板状部が傾動され、中反射板掛止部が仮吊紐引掛部に強固に抜け止められる。
これにより、本発明の照明器具によれば、カシメ等を行うことなく簡単な施工により高い強度で仮吊紐の確実な抜け防止を図ることができるという効果を有する。
【図面の簡単な説明】
【００１５】
【図１】本発明に係る第１実施形態の照明器具の斜め下方から視た外観斜視図
【図２】図１の照明器具の分解斜視図
【図３】図１の照明器具の中反射板とルーバとの組体の斜め上方から視た外観斜視図
【図４】図１の照明器具の中反射板の仮吊紐引掛部の拡大斜視図
【図５】図１の照明器具の仮吊紐が掛止された仮吊紐引掛部の拡大斜視図
【図６】図１の照明器具において仮吊紐に荷重がかけられた際の仮吊紐引掛部の拡大斜視図
【図７】本発明に係る第２実施形態の照明器具の中反射板の仮吊紐引掛部の拡大斜視図
【発明を実施するための形態】
【００１６】
以下、本発明の複数の実施形態に係る照明器具について図面を参照して説明する。
【００１７】
（第１実施形態）
本発明の第１実施形態である照明器具１０は、器具本体１１と、光源である一対の直管型の蛍光ランプ１２と、複数のルーバ１３と、中反射板１４と、２本の仮吊紐１５とを備えて、天井施工面１に直接取り付けられる。
【００１８】
図１、図２に示すように、器具本体１１は、比較的薄い金属製板部材を用いて成形されており、天板１６と、対向配置された一対の端板１７と、対向配置された一対の側板１８とを有して下方を開放している。器具本体１１は、天板１６の下面において幅方向の中央部に、安定器１９と、電源端子台２０とが取り付けられており、安定器１９および電源端子台２０の外側に一対の中反射板取付バネ２１がそれぞれ取り付けられている。器具本体１１は、天板１６の下面において幅方向の中央部の長手方向に一対の取付ボルト孔２２と、同じく長手方向の端板１７寄りに一対の器具本体側仮吊紐引掛部２３とが設けられており、電源端子台２０の近傍に単一の電源線挿通孔２４が設けられている。
【００１９】
器具本体１１の取付ボルト孔２２には、天井施工面１から床面に向けて突出設置されている一対の取付ボルト２が挿通される。そして、これら取付ボルト２に座金２５を介してナット２６がそれぞれねじ込まれることにより、器具本体１１が天井施工面１に接して組み付けられる。器具本体側仮吊紐引掛部２３は、天板１６を切り起し成形することにより、下方に向けてＶ字の板形状に突出形成されている。
【００２０】
電源線挿通孔２４には、天井施工面１側から電源線３が引き込まれる。電源線３は、不図示の制御回路を通じて商用電源に接続されており、電源端子台２０に電気的に接続される。電源端子台２０からは安定器１９を通じてランプソケット２７へ不図示の器具電線が接続される。
【００２１】
中反射板取付バネ２１は、器具本体１１の天板１６から下方に向けてハ字形状に突出して配置されている。中反射板取付バネ２１は、両先端部に有するＬ字形状部分が中反射板１４に形成されている中反射板取付バネ係止部２８に係止されることにより中反射板１４が器具本体１１に保持される。器具本体１１は、それぞれの端板１７の内側に二対のランプソケット２７を対向させて取り付けている。ルーバ１３は、器具本体１１と同様の比較的薄い金属製板部材を用いて羽根形状に形成されている。ルーバ１３は、器具本体１１の両側板１８の間隔寸法よりも小さい幅寸法を有し、中央部が大きく両側部が小さいものとして予め定められた高さ寸法を有する。
【００２２】
中反射板１４は、ルーバ１３と同様の比較的薄い金属製板部材を用いてＶ字形状に形成されている。中反射板１４は、器具本体１１の両端板１７の間隔寸法よりも小さい長さ寸法を有し、長手方向に沿った両外側に一対の副反射板２９をそれぞれ備える。中反射板１４はＶ字の内側に空間部３０を有する。そのため、中反射板１４は、安定器１９、電源端子台２０、取付ボルト２、座金２５およびナット２６、電源線３、器具電線、器具本体側仮吊紐引掛部２３のそれぞれを床面側から直視できないように空間部３０内に収納する。
【００２３】
仮吊紐１５は、所定の十分に長い長さ寸法を有する仮吊紐本体３１の一端部にＳ字形状をなす金属製のフック部３２を有し、仮吊紐本体３１の他端部に略球形状の結び目状をなす中反射板掛止部（図５参照）３３を有する。中反射板掛止部３３は、仮吊紐本体３１の外径寸法よりも大きい。仮吊紐１５は、そのフック部３２が器具本体１１の器具本体側仮吊紐引掛部２３に引っ掛けられることにより器具本体１１に連結される。
【００２４】
図３に示すように、中反射板１４は、Ｖ字の板形状をなす中反射板本体３４の両端縁に、内側に折り曲げられた一対の折曲板部３５を形成している。中反射板１４は、ルーバ１３を装着するためのルーバ取付用スリット３６と、ルーバ取付用スリット３６の外側に配置された一対の折曲片挿通用孔３７とを長手方向の等間隔に複数有する。中反射板本体３４は、その両端部寄りに四角形の穴形状をなす一対の中反射板取付バネ係止部２８を形成している。そして、一対の折曲板部３５の対角位置に一対の中反射板側仮吊紐引掛部３８がそれぞれ形成されている。一対の中反射板側仮吊紐引掛部３８は、それぞれが同一形状に形成されているために、以下の説明では、一方の中反射板側仮吊紐引掛部３８についてのみ説明する。
【００２５】
ルーバ１３は、その中央部に、上方から下方に向けてＶ字形状に切除されていて一対の折曲片３９を突出形成した中反射板取付用凹部４０を有する。折曲片３９は、舌片状に形成されており、中反射板本体３４の折曲片挿通用孔３７にそれぞれ挿通されてから中反射板本体３４の内面に向けて折り曲げ成形されることにより、ルーバ１３が中反射板本体３４に固定される。
【００２６】
ルーバ１３は、中反射板取付用凹部４０の両側部に、上端縁から下方に向けて湾曲形状に切除された一対の蛍光ランプ逃げ凹部４１を有する。そして、ルーバ１３は、蛍光ランプ逃げ凹部４１の両外側に、上端縁から下方に向けてＩ字形状に切除された一対の副反射板取付用スリット４２をそれぞれ有する。
【００２７】
図４に示すように、中反射板側仮吊紐引掛部３８は、折曲板部３５を形成する折曲部４３と端縁部４４との間に配置されている。中反射板側仮吊紐引掛部３８は、折曲板部３５のほぼ中央部において仮吊紐１５の仮吊紐本体３１の外径寸法よりも小さい内径寸法を有する略円形の保持孔４５と、折曲板部３５の保持孔４５に対応した端縁部４４にＶ字に切除された窪み部４６と、保持孔４５から折曲板部３５の幅方向を示す線Ａに対して予め定められた角度θだけ傾斜して折曲板部３５の折曲部４３に向けて切除された第１スリット４７と、第１スリット４７の端部に直交して連接されていて折曲板部３５の長さ方向を示す線Ｂに沿って切除された第２スリット４８と、を有する。
【００２８】
中反射板側仮吊紐引掛部３８は、第２スリット４８の端部に直交して連接されていて折曲板部３５の幅方向の線Ａに沿って端縁部４４に向けて切除された第３スリット４９と、第３スリット４９の端部に直交して連接されていて折曲板部３５の長さ方向の線Ｂに沿って保持孔４５方向に切除された第４スリット５０と、第４スリット５０の端部に直交して連接されていて折曲板部３５の幅方向の線Ａに沿って端縁部４４まで切除されて開放された第５スリット５１と、を有する。中反射板側仮吊紐引掛部３８は、保持孔４５と第１スリット４７と第２スリット４８と第３スリット４９と第４スリット５０と第５スリット５１とのそれぞれに囲まれた四角形状の板状部５２が、保持孔４５と窪み部４６との間の接続部５３でのみ折曲板部３５に接続されている。
【００２９】
図５に示すように、仮吊紐１５の中反射板側仮吊紐引掛部３８への取付けにあたり、仮吊紐１５は、その中反射板掛止部３３を折曲板部３５の裏面に配置した状態で、その仮吊紐本体３１を第５スリット５１に挿通させてから、第４スリット５０、第３スリット４９、第２スリット４８、第１スリット４７、保持孔４５の順に移動させながら挿通させていく。
【００３０】
図６に示すように、次に、作業者等が、仮吊紐１５を図中の矢印方向である折曲板部３５の斜め上方に向けて応力Ｆで引張する。すると、応力Ｆに伴って生ずる分力により保持孔４５および第１スリット４７が拡径されるように、窪み部４６を有する接続部５３を介して板状部５２が傾動されて第２スリット４８および第４スリット５０が閉塞される。これにより、仮吊紐１５は、中反射板掛止部３３が中反射板側仮吊紐引掛部３８に強固に抜け止められ、仮吊紐１５により中反射板１４が器具本体１１の下方に吊り下げられる。このとき、仮吊紐１５は、一対の折曲板部３５の対角位置に配置された一対の中反射板側仮吊紐引掛部３８にそれぞれ保持されるために、中反射板１４がバランス良く吊り下げられる。
【００３１】
以上説明してきたように、本発明の第１実施形態の照明器具１０では、仮吊紐１５は、仮吊紐本体３１が、開放側の第５スリット５１、第４スリット５０、第３スリット４９、第２スリット４８、第１スリット４７、保持孔４５の順に挿通されていくことにより、保持孔４５の裏面に中反射板掛止部３３が配置される。そして、仮吊紐１５が中反射板１４から引っ張られることにより、保持孔４５および第１スリット４７に、その裏面から上方に向けた応力がかかり、これに伴って生ずる分力により、保持孔４５と窪み部４６との間の接続部５３を介して第２スリット４８および第４スリット５０を閉塞する方向に板状部５２が傾動され、中反射板掛止部３３が中反射板側仮吊紐引掛部３８に強固に抜け止められる。
従って、本発明においては、カシメ等を行うことなく簡単な施工により高い強度で仮吊紐１５の確実な抜け防止を図ることができる。
【００３２】
本発明の第１実施形態の照明器具１０では、保持孔４５の裏面に中反射板掛止部３３が確実に係合されるために、仮吊紐１５を中反射板１４に安定的に保持することができる。そして、スリット第１スリット４７，第２スリット４８，第３スリット４９，第４スリット５０，第５スリット５１が仮吊紐１５の仮吊紐本体３１の外径寸法（直径）よりも小さいために、リット第１スリット４７，第２スリット４８，第３スリット４９，第４スリット５０，第５スリット５１に一旦挿通された仮吊紐本体３１が容易に移動することがないので、位置ずれすることなく仮吊紐１５を中反射板１４に確実に保持することができる。
【００３３】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００３４】
図７に示すように、本発明の第２実施形態の照明器具６０は、中反射板側仮吊紐引掛部６１が、第２スリット４８の端部に連接されていて第１スリット４７に平行にして折曲板部３５の幅方向に端縁部４４に向けて切除された第３スリット６２を有する。
【００３５】
本発明の第２実施形態の照明器具６０では、中反射板側仮吊紐引掛部６１において、折曲板部３５の幅方向に対して傾斜する第１スリット４７に第３スリット６２が平行に配置されることにより板状部６３が平行四辺形に形成されるので、板状部６３が傾動される際に、板状部６３に有する鋭角部６４で第２スリット４８および第４スリット５０を確実に閉塞することができる。
【００３６】
なお、前記各実施形態で使用した器具本体１１、蛍光ランプ１２、ルーバ１３、中反射板１４、仮吊紐１５等は例示したものに限定するものではなく適宜変更が可能である。
【符号の説明】
【００３７】
１０、６０  照明器具
１１  器具本体
１２  蛍光ランプ（光源）
１３  ルーバ
１４  中反射板
１５  仮吊紐
３１  仮吊紐本体
３５  折曲板部
３８、６１  中反射板側仮吊紐引掛部（仮吊紐引掛部）
４５  保持孔
４６  窪み部
４７  第１スリット
４８  第２スリット
４９、６２  第３スリット
５０  第４スリット
５１  第５スリット
【図１】
2011108517.tif 000003
【図２】
2011108517.tif 000004
【図３】
2011108517.tif 000005
【図４】
2011108517.tif 000006
【図５】
2011108517.tif 000007
【図６】
2011108517.tif 000008
【図７】
2011108517.tif 000009